(57)【要約】【課題】  端末での電力をいたずらに消費することなく、スループット特性を向上させる。【解決手段】  適応変復調・誤り訂正符号化 （AMC: Adaptive Modulation and channel Coding） が適用されるセルでの通信時のみ、受信端末における受信ダイバーシチ機能を起動させる。【選択図】  図１
2006203820.tif 000002
【特許請求の範囲】
【請求項１】
受信端末における受信ダイバーシチ機能の起動制御について、適応変復調・誤り訂正符号化 （AMC: Adaptive Modulation and channel Coding） が適用されるセルでの通信時のみ起動を行うことを特徴とする受信ダイバーシチ機能の起動制御方法。
【発明の詳細な説明】
【技術分野】
【０００１】
本発明は、受信ダイバーシチ機能の起動制御方法に関する。
【背景技術】
【０００２】
2001年度より商用サービスがスタートしたW-CDMAシステムでは基地局からの送信電力制御により、移動機の受信品質は常に一定に保たれる。したがって、受信ダイバーシチを適用することによりSIR（Signal to Interference power Ratio）が向上しても、基地局からの送信電力が低減されるだけで、ユーザに対するメリットは少ない。（ただし、運用側の観点ではチャネル容量が増大するという大きなメリットがある）。そのため、受信ダイバーシチ機能を搭載したW-CDMA端末は消費電力が大幅に増加してしまうのに対して、ユーザに対する恩恵が少ないため、これまで開発がなされなかった。
【発明の開示】
【発明が解決しようとする課題】
【０００３】
W-CDMAにおいてユーザにとって恩恵の少なかった受信ダイバーシチ技術は高速無線通信においてその効果を発揮する。HSDPA（High Speed Downlink Packet Access）システムのような高速パケット通信をターゲットとした伝送システムにおいては、移動機の受信環境に応じてスループットが変動する適応変復調・誤り訂正符号化 （AMC: Adaptive Modulation and channel Coding） が適用される。このAMC技術は基地局での送信電力制御を行わず、一定の送信電力での送信を行い、移動機での受信品質に応じて送信するTBS（Transport Block Size）を決定するため、受信ダイバーシチの適用により受信SIRが向上し、より高速なパケット通信が可能となる。しかしながら、現在受信ダイバーシチを搭載した端末が存在しないため、HSDPAのみ適用させるという制御は検討されていない。
【０００４】
そこで、本発明は、上述した課題を解決するために、端末での電力をいたずらに消費することなく、スループット特性を向上させることができる受信ダイバーシチ機能の起動制御方法を提供することを目的とする。
【課題を解決するための手段】
【０００５】
本発明の受信ダイバーシチ機能の起動制御方法は、受信端末における受信ダイバーシチ機能の起動制御について、適応変復調・誤り訂正符号化 （AMC: Adaptive Modulation and channel Coding） が適用されるセルでの通信時のみ起動を行うことを特徴とする。
【発明の効果】
【０００６】
本発明は受信ダイバーシチ技術を適用した端末において、適応変復調・誤り訂正符号化 （AMC: Adaptive Modulation and channel Coding） が適用されるセルでのみ起動を行うことで、端末での電力をいたずらに消費することなく、スループット特性を向上させることが可能となる。
【発明を実施するための最良の形態】
【０００７】
以下、本発明に係る受信ダイバーシチ機能の起動制御方法の実施形態を図面に基づき説明する。なお、各図において、同一要素には同一符号を付して重複する説明を省略する。
【０００８】
まず、移動機と基地局のデータ通信を行わない、待ち受け状態を考える。
【０００９】
待ち受け状態の移動機は、共通パイロットチャネル（CPICH: Common Pilot Channel）、着信の有無を示すページングチャネル（PICH: Page Indicator Channel）、同期チャネル（SCH: Synchronization Channel）、第一共通制御チャネル（P-CCPCH: Primary Common Control Physical Channel）の受信のみを行っている。この状態では受信ダイバーシチの起動は行わない。
【００１０】
次に接続先基地局とパケット通信を行う際の手順を示す。
【００１１】
(1)移動機は基地局へプリアンブル（preamble: ランダムアクセスチャネル送信前の事前信号）、ランダムアクセスチャネル（RACH: Random Access Channel）を順番に送信することで発呼・信号要求を行う。この後、基地局から送信される同期通知チャネル（AICH: Acquisition Indicator Channel）、第2共通制御チャネル（S-CCPCH: Secondary Common Control Channel）の受信を行う。
【００１２】
(2)移動機は受信したS-CCPCHから接続先の基地局がAMC適用セルか非適用セルかを判別する。AMCが適用される場合には高速共通チャネル（HS-DSCH: High Speed Downlink Shared Channel）の、非適用の場合には個別チャネル（DPCH: Dedicated Physical Channel）の受信を行う。
【００１３】
(3)パケットの受信がすべて完了した後、待ち受け状態へ戻る。
【００１４】
DPCHを用いたパケット送信が行われる場合、基地局からの送信電力制御により、移動機の受信品質は常に一定に保たれるため、ユーザから見ると受信ダイバーシチを適用するメリットはほとんどない。しかし、HS-DSCHを用いたパケット送信が行われる場合、AMC技術が適用されるため、受信ダイバーシチを適用することで、移動機のSIR（Signal to Interference power Ratio）が向上し、より高速なパケット通信が可能となる。
【００１５】
そこで、上述した手順(2)のS-CCPCHを受信した時点で受信ダイバーシチの起動制御を行う。S-CCPCHを受信した後、AMC適用セルであれば、受信ダイバーシチを適用し、AMCが非適用セルであれば、待ち受け状態と同じく受信ダイバーシチの起動を行わない。
【００１６】
ただし、AMC適用セルから非適用セルへ移る場合（ハンドオーバ）には受信ダイバーシチの起動を切断してしまうと、ダイバーシチ合成ゲインが減少し、急激にSIRが劣化するため、基地局からの送信電力制御が追従できなくなるため、受信ダイバーシチを適用したままにする必要がある。
【００１７】
このような制御を行うことで、AMCの適用を行う高速パケット通信時のみ受信ダイバーシチの起動を行うことが可能となり、受信ダイバーシチの適用効果の小さい送信電力制御を行うパケット通信時に起動を制限することができる。したがって、ユーザは消費電力を抑えた受信ダイバーシチ搭載端末を使うことで、より高速なパケット通信が可能となる。
【図面の簡単な説明】
【００１８】
【図１】AMC適用セルでの受信ダイバーシチの起動制御の状態を説明するための図である。
【図２】AMC非適用セルでの受信ダイバーシチ起動制御の状態を説明するための図である。
【図１】
2006203820.tif 000003
【図２】
2006203820.tif 000004